(57)【要約】【課題】連結および破断に係る作業性がよく、別体の破断片を生じさせない。【解決手段】上端開口の箱本体１０Ａ〜１０Ｆと、隣接配置した箱本体１０Ａ〜１０Ｆの上端開口を閉塞する蓋部４１、および、箱本体１０の側壁１２または端壁に固着する糊代部４２を有し、各箱本体１０Ａ〜１０Ｆの境界に沿って延びる破断手段（罫線４４Ａ〜４４Ｅ）を設けた連結部材４０とを備え、箱本体１０Ａ〜１０Ｆにおいて、連結部材４０が重畳した領域の稜部に、指を内方に進入可能とする進入部２８を設けるとともに、連結部材４０の破断手段上において、進入部２８と対応する位置に指差部４５を設けた構成とする。【選択図】図４
2007106424.tif 000002
【特許請求の範囲】
【請求項１】
方形状をなす底壁の外周縁に一対の側壁および一対の端壁を連設し、その上端開口に内向きに突出する受片を設けた２以上の箱本体と、
隣接配置した前記箱本体の上端開口を閉塞する蓋部、および、該蓋部に連設し前記箱本体の側壁または端壁に固着する糊代部を有し、各箱本体の境界に沿って延びる破断手段を設けた連結部材とを備え、
前記箱本体において、前記連結部材が重畳した領域の稜部に、指を内方に進入可能とする進入部を設けるとともに、
前記連結部材の破断手段上において、前記進入部と対応する位置に指差部を設けたことを特徴とする包装箱。
【請求項２】
前記破断手段は、所定間隔をもって切断線を設けたミシン目状罫線からなることを特徴とする請求項１に記載の包装箱。
【請求項３】
前記進入部を前記箱本体の側壁と端壁との稜部に設けるとともに、前記指差部を前記端壁に固着するようにした前記連結部材の糊代部に設けたことを特徴とする請求項２に記載の包装箱。
【発明の詳細な説明】
【技術分野】
【０００１】
本発明は、２以上の箱本体を別体の連結部材によって一体に連結した分割可能な包装箱に関するものである。
【背景技術】
【０００２】
本発明の包装箱に関連する先行技術文献情報としては次のものがある。
【０００３】
【特許文献１】実開昭５９−１８３８２１号公報
【特許文献２】実開昭６３−１１４９６８号公報
【特許文献３】実用新案登録第２５１７７６８号公報
【０００４】
特許文献１には、直方体形状をなす上端開口の一対の箱本体と、これら箱本体の上端開口を閉塞する蓋部の両端に箱本体の端壁内側に挿入する差込片を連設した連結部材とからなる包装箱が記載されている。そして、前記箱本体には、対向する一対の側壁の両端近傍に連結孔が設けられている。また、前記連結部材には、前記差込片の縁に前記連結孔に挿入係止する連結突片が設けられるとともに、隣接する箱本体の境界に沿って延びるカットテープからなる破断手段が設けられている。
【０００５】
特許文献２には、直方体形状をなす上端開口の３個の箱本体と、これら箱本体の上端開口を閉塞する蓋部の両端に箱本体の端壁外側に固着する糊代部を連設した連結部材と、これらの間に配設する補強シートとからなる包装箱が記載されている。そして、補強シートには、隣接する箱本体の境界に位置するように摘み部が設けられるとともに、カットラインが設けられている。また、連結部材には、摘み部を露出させる窓部が設けられるとともに、補強シートと同様のカットラインが設けられている。
【０００６】
特許文献３には、開口が設けられていない封緘された直方体形状をなす一対の箱本体と、これら箱本体を隣接状態で連結する連結帯とからなる包装箱が記載されている。そして、箱本体には、上壁と側壁との稜部に指挿入用窓穴が設けられている。また、連結帯には、該連結帯を破断可能なテアテープが配設されるとともに、所定位置に略Ｈ字形状をなす破断始点部が設けられている。そして、この破断始点部が前記指挿入用窓部に位置するように、連結帯を箱本体に貼着する構成としている。
【０００７】
しかしながら、特許文献１の包装箱では、カットテープ上に位置するようにＨ字形状をなす破断始点部が設けられているが、この破断始点部を把持するために折り曲げる作業が非常に面倒であるという問題がある。具体的には、このＨ字形状をなす破断始点部は、一方の舌片部を指で押し込み、露出した他方の舌片部の縁を指で把持するのが一般的であるが、押し込み時に背部の箱本体に当接するため、その作業性は非常に悪い。しかも、再生不可能なカットテープを有する破断紙片が発生するという問題がある。
【０００８】
また、特許文献２では、特許文献１と比較して破断始点となる摘み部を把持する作業は容易であるが、表面の連結部材の窓部を通して把持する必要があるため、やはり作業性が悪い。しかも、特許文献１と同様に、別体のゴミである破断紙片が発生するという問題がある。
【０００９】
さらに、特許文献３では、箱本体に指挿入用窓穴が形成されているため、連結帯の破断始点を把持する作業性は良い。しかし、全面が閉塞された複数の箱本体の外周部に、シート状の連結帯を貼着して連結する必要があるため、連結作業性が悪いという問題がある。しかも、各特許文献と同様に、別体のゴミである破断片が発生するという問題がある。
【発明の開示】
【発明が解決しようとする課題】
【００１０】
本発明は、従来の問題に鑑みてなされたもので、連結および破断に係る作業性がよく、別体の破断片が生じることのない包装箱を提供することを課題とするものである。
【課題を解決するための手段】
【００１１】
前記課題を解決するため、本発明の包装箱は、方形状をなす底壁の外周縁に一対の側壁および一対の端壁を連設し、その上端開口に内向きに突出する受片を設けた２以上の箱本体と、隣接配置した前記箱本体の上端開口を閉塞する蓋部、および、該蓋部に連設し前記箱本体の側壁または端壁に固着する糊代部を有し、各箱本体の境界に沿って延びる破断手段を設けた連結部材とを備え、前記箱本体において、前記連結部材が重畳した領域の稜部に、指を内方に進入可能とする進入部を設けるとともに、前記連結部材の破断手段上において、前記進入部と対応する位置に指差部を設けた構成としている。
【００１２】
ここで、前記進入部とは、稜部に対して直交する一対の切断線を設けることにより、これらの間に設けた弾性変形部からなる。または、稜部に位置するように設けた穴からなる。または、稜部を境界とした隣接する壁にそれぞれ設けた切起構造の舌片からなる。
【００１３】
この包装箱では、前記破断手段は、所定間隔をもって切断線を設けたミシン目状罫線からなることが好ましい。
この場合、前記進入部を前記箱本体の側壁と端壁との稜部に設けるとともに、前記指差部を前記端壁に固着することが好ましい。
【発明の効果】
【００１４】
本発明の包装箱では、上端開口をなす箱本体を、蓋兼用の連結部材によって閉塞するとともに連結するため、その連結作業性を向上できる。また、箱本体の稜部に指を内方に進入可能とする進入部を設けているため、連結部材の指差部を外方から押圧する作業を容易に行うことができる。そのため、指を指差部に差し込んだ状態をきっかけに、破断手段を容易に破断することができる。
【００１５】
また、破断手段は、ミシン目状罫線により構成しているため、所定の箱本体を分割する際に、別体のゴミである破断紙片が発生することはない。しかも、進入部を箱本体の側壁と端壁との稜部に設けるとともに、指差部を端壁に固着するようにした連結部材の糊代部に設けているため、その分割作業は、連結された包装箱を所定の台（テーブル）に載せた状態で水平方向に開くように操作するだけで、簡単に分割することができる。
【発明を実施するための最良の形態】
【００１６】
以下、本発明の実施の形態を図面に従って説明する。
【００１７】
図１から図６（Ａ），（Ｂ）は、本発明の実施形態に係る包装箱を示す。この包装箱は、例えば平面視円形状をなす容器を横方向に３個並べるとともに、２個ずつ積み重ねて合計で６個収容できるようにした複数（本実施形態では６箱）の箱本体１０Ａ〜１０Ｆを、蓋を兼用する一枚の連結部材４０によって分割可能に一体に連結したものである。これら箱本体１０Ａ〜１０Ｆおよび連結部材４０は、表裏一対のライナの間に波状の中しんを配設した段ボール紙を、周知のダイカッター方式の紙器打抜装置によって図５および図６（Ａ）に示す各一枚のブランクとして打ち抜いて形成される。
【００１８】
図５に示すように、箱本体１０Ａ〜１０Ｆのブランクは、長方形状をなす底壁１１と、該底壁１１の対向する横方向の両側縁に連設した側壁１２Ａ，１２Ｂとを備え、これらの境界部分には、肉厚を圧縮するように罫を入れて形成した折曲線１３が設けられている。また、各側壁１２Ａ，１２Ｂの側縁には、これら側壁１２Ａ，１２Ｂにより構成される上端開口において、内向きに突出される受片１４Ａ，１４Ｂが連設されている。これら側壁１２Ａ，１２Ｂと受片１４Ａ，１４Ｂとの境界部分には、所定間隔をもって略コ字形状をなす切断線１５が設けられるとともに、これらの両端に折曲線１６が設けられている。
【００１９】
また、前記側壁１２Ａ，１２Ｂの縦方向の両端縁には、内フラップ１７Ａ，１７Ｂが連設され、これらの境界部分に折曲線１８が設けられている。さらに、底壁１１の両端には、組立状態で一対の内フラップ１７Ａ，１７Ｂにかけて重畳して貼着される外フラップ１９が連設され、その境界部分に折曲線２０が設けられている。
【００２０】
これらフラップ１７Ａ，１７Ｂ，１９は、組立状態で箱本体１０Ａ〜１０Ｆの端壁を構成するもので、この端壁には内部の商品を取り出す際の開封手段が設けられている。具体的には、この開封手段は、外フラップ１９の先端中央に設けた切起部２１と、該切起部２１の背部に位置するように内フラップ１７Ａ，１７Ｂの先端縁に設けた退避部２４とからなる。切起部２１は、外フラップ１９の先端縁と平行な折曲線２２と、該折曲線２２の両端から先端縁にかけて延びるように設けた切断線２３とからなる。この切断線２３の中間位置には、非開封時に切起部２１が外フラップ１９に対して平面的な状態を維持するための非切断部が設けられている。退避部２４は、組立状態で前記折曲線２２の背部に位置する折曲線２５が先端縁から折曲線１８に向けて延びるように設けられている。この折曲線２５の先端には、内フラップ１７Ａ，１７Ｂの先端縁と平行な切断線２６が設けられている。この切断線２６には切断線２３と同様に非切断部が設けられている。また、組立状態で退避部２４の上側に位置するように、矩形状の開口部２７が設けられている。
【００２１】
そして、本実施形態の箱本体１０Ａ〜１０Ｆには、後述する連結部材４０が重畳する領域である側壁１２Ａ，１２Ｂと端壁を構成する内フラップ１７Ａ，１７Ｂとの稜部に進入部２８が設けられている。この進入部２８は、稜部となる折曲線１８に対して直交するように、側壁１２Ａ，１２Ｂから内フラップ１７Ａ，１７Ｂにかけて延びるように設けた一対の切断線２９，２９と、これらの両端間にかけて延びるように設けた折曲線３０，３０とからなる。この進入部２８は、外側から内向きに押圧されると、中央に位置する折曲線１８が相俟って内向きに没入するように弾性的に塑性変形することにより、作業者の指を箱本体１０Ａ〜１０Ｆの内部収容領域に進入可能とする。
【００２２】
図６（Ａ）に示すように、連結部材４０のブランクは、横方向に連結する箱本体１０Ａ〜１０Ｆの個数分の蓋部４１Ａ〜４１Ｆを備えている。この蓋部４１Ａ〜４１Ｆの両端縁には、前記箱本体１０Ａ〜１０Ｆにおける外フラップ１９の上側に重畳して貼着される糊代部４２Ａ〜４２Ｆが連設され、これらの境界部分には折曲線４３が設けられている。そして、これら蓋部４１Ａ〜４１Ｆおよび糊代部４２Ａ〜４２Ｆの各境界部分には、所定間隔をもって複数の切断線４４ａを直線的に設けたミシン目状罫線（以下「罫線」と略する。）４４Ａ〜４４Ｅからなる破断手段が設けられている。即ち、罫線４４Ａ〜４４Ｅは、隣接する箱本体１０Ａ〜１０Ｆの境界に沿って延びるように設けられている。
【００２３】
本実施形態では、これら罫線４４Ａ〜４４Ｅのうち、包装箱を三等分に分割する際の境界となる罫線４４Ｂ，４４Ｄに、組立状態で前記進入部２８に対応する糊代部４２Ｂ，４２Ｃ間および４２Ｄ，４２Ｅ間に位置するように指差部４５が設けられている。この指差部４５は、図６（Ｂ）に示すように、罫線４４Ｂ，４４Ｄに対して同一直線的に延びる切断線４６と、該切断線４６の両端において矢印（→）形状をなすように延びる一対のガイド切断線４７，４７と、これらガイド切断線４７，４７の端部から所定間隔をもって折曲線４３と平行に延びる切断線４８，４８と、これら切断線４８，４８間にかけて延びる折曲線４９，４９とからなる。この指差部４５は、切断線４６の部分を指で押圧することにより、ガイド切断線４７と切断線４８との間の非切断部が破断されることにより、これらで囲繞された内部の一対の舌片部が所謂観音開きして内向きに変形される。
【００２４】
なお、前記罫線４４Ｂ，４４Ｄにおいて、指差部４５の両側に位置する切断線４４ａの端部には、Ｙ字形状をなすように延びる一対のガイド切断線５０，５０が設けられている。また、他の罫線４４Ａ，４４Ｃ，４４Ｅにおいて、糊代部４２Ａ，４２Ｂ間、４２Ｃ，４２Ｄ間および４２Ｅ，４２Ｆ間に位置する切断線４４ａには、組立状態で下側に位置する端部に略Ｙ字形状をなすように延びる一対のガイド切断線５１，５１が設けられている。さらに、これら罫線４４Ａ，４４Ｃ，４４Ｅの端部である糊代部４２Ａ〜４２Ｆの先端縁には、破断始点として作用する略Ｕ字形状の切欠部５２が設けられている。
【００２５】
次に、前記箱本体１０Ａ〜１０Ｆと連結部材４０とからなる包装箱の使用方法について説明する。
【００２６】
まず、商品を包装する際には、箱本体１０Ａ〜１０Ｆのブランクの表面を下側とし、底壁１１に対して収容する略円柱状の商品を３個並べるとともに２個ずつ積み重ねる。この状態で、側壁１２Ａ，１２Ｂを底壁１１に対して折り曲げるとともに、内フラップ１７Ａ，１７Ｂを側壁１２Ａ，１２Ｂに対して折り曲げる。ついで、ホットメルトなどの接着剤を塗布した外フラップ１９を底壁１１に対して折り曲げ、内フラップ１７Ａ，１７Ｂに対して貼着する。その後、一対の受片１４Ａ，１４Ｂを側壁１２Ａ，１２Ｂに対して折り曲げる。
【００２７】
図２に示すように、このようにして商品を収容させた上端開口の直方体形状をなす箱本体１０Ａ〜１０Ｆを横方向に並列に配置するとともに、内フラップ１７Ａ，１７Ｂの露出した上部および受片１４Ａ，１４Ｂにホットメルトなどの接着剤を塗布した状態で、上方から別体の連結部材４０を配置して貼着する。これにより、連結部材４０によって、各箱本体１０Ａ〜１０Ｆを連結するとともに、それぞれの上端開口を閉塞する。これにより、６個の箱本体１０Ａ〜１０Ｆを連結部材４０によって一体的に連結した包装箱が形成される。
【００２８】
次に、この包装箱に収容された合計で３６個の商品を納入先の希望数に応じて小分けする場合の分割作業について説明する。
【００２９】
例えば、箱本体１０Ａ〜１０Ｄの４個分と、箱本体１０Ｅ，１０Ｆの２個分に分割する場合には、包装箱を所定の仕分台（テーブル）に載せた状態で、罫線４４Ｄに設けた指差部４５を外方から押圧する。そうすると、図３に示すように、指差部４５の各舌片部が内向きに変形されると同時に、背部に位置する箱本体１０Ｄ，１０Ｅの進入部２８が内向きに没入するように変形される。
【００３０】
そして、この塑性変形された進入部２８および指差部４５に指を引っ掛けた状態で、図４に示すように、水平方向に箱本体１０Ｄ，１０Ｅを水平方向に開く。これにより、これら箱本体１０Ｄ，１０Ｅ間に位置する罫線４４Ｄに沿って連結部材４０を破断し、希望通りの箱本体１０Ａ〜１０Ｄの４個分と、箱本体１０Ｅ，１０Ｆの２個分に分割することができる。
【００３１】
このように、本発明の包装箱では、上端開口をなす複数の箱本体１０Ａ〜１０Ｆを、蓋兼用の連結部材４０によって閉塞するとともに連結するため、その連結作業性を向上できる。また、箱本体１０Ａ〜１０Ｆの稜部に内向きに指を進入可能とする進入部２８を設けているため、連結部材４０の指差部４５を外方から押圧する作業を容易に行うことができる。そのため、指を指差部４５に差し込んだ状態をきっかけに、破断手段を容易に破断することができる。しかも、破断手段は、ミシン目状の罫線４４Ａ〜４４Ｅにより構成しているため、所定の箱本体１０Ａ〜１０Ｆを分割しても、別体のゴミである破断紙片が発生することはない。また、従来例（特許文献３）のように指挿入用窓穴を設ける構成では、分割後に内部に連通する孔が生じるため、塵埃が侵入するという問題が生じるが、本実施形態の進入部２８は、一対の切断線２９，２９を設けることによる弾性変形部により構成しているため、このような問題が生じることはない。
【００３２】
また、進入部２８を箱本体１０Ａ〜１０Ｆの側壁１２Ａ，１２Ｂと端壁を構成する内フラップ１７Ａ，１７Ｂとの稜部に設けるとともに、指差部４５を端壁に固着する連結部材４０の糊代部４２Ａ〜４２Ｆに設けているため、その分割作業は、包装箱を台に載せた状態で水平方向に開くように操作するだけで、簡単に分割することができる。なお、指差部４５を設けていない罫線４４Ａ，４４Ｃ，４４Ｅに沿って箱本体１０Ａ〜１０Ｆを分割する場合には、隣接する箱本体１０Ａ〜１０Ｆの底壁１１を広げるように操作することにより、切欠部５２を破断始点として分割することが可能である。
【００３３】
なお、本発明の包装箱は、前記実施形態の構成に限定されるものではなく、種々の変更が可能である。
【００３４】
例えば、図７に示すように、箱本体１０に形成する進入部２８は、側壁１２Ａ，１２Ｂと受片１４Ａ，１４Ｂとの境界部分に設け、図８に示すように、連結部材４０に形成する指差部４５は、進入部２８と対応する蓋部４１Ａ〜４１Ｆの境界部分に設けてもよい。勿論、その数も希望に応じて変更が可能である。
【００３５】
また、前記実施形態では、箱本体１０Ａ〜１０Ｆに形成する進入部２８を弾性変形部により構成したが、図９（Ａ）に示すように、稜部に位置するように設けた穴により構成してもよい。さらに、図９（Ｂ）に示すように、稜部である折曲線１８に沿って設けた切断線６０と、該切断線６０の両側に平行に設けた一対の切断線６１，６１と、これらの一端に設けた切断線６２，６２と、他端に設けた折曲線６３とで構成した一対の切起構造からなる舌片により構成してもよい。
【００３６】
さらに、前記実施形態では、連結部材４０に形成する破断手段をミシン目状罫線４０により構成したが、ポリプロピレン製の樹脂テープを貼着した構成としてもよいうえ、平行に位置する一対の切断線を設けたジッパーにより構成してもよい。
【００３７】
さらにまた、前記実施形態では、箱本体１０Ａ〜１０Ｆの端壁をフラップ１７Ａ，１７Ｂ，１９により構成したが、連続した一枚の壁板により構成したものでもよい。また、連結部材４０の糊代部は、箱本体１０Ａ〜１０Ｆの端壁に貼着する構成に限定されず、両端の箱本体１０Ａ，１０Ｆの側壁１２Ａ，１２Ｂに貼着する構成としてもよい。
【００３８】
そして、前記実施形態では、箱本体１０Ａ〜１０Ｆを上端開口の直方体形状とし、その上端を連結部材４０により閉塞するとともに連結したが、端壁の上下端、即ち、箱本体１０の折曲線２０を形成した下端稜部、および、連結部材４０の折曲線４３を形成した上端稜部は面取りした側面視八角形状としてもよく、このようにしても前記と同様の作用および効果を得ることができる。
【図面の簡単な説明】
【００３９】
【図１】本発明の包装箱を示す斜視図である。
【図２】複数の箱本体と連結部材の貼着前の状態を示す分解斜視図である。
【図３】包装箱を分割する際の第１工程を示す斜視図である。
【図４】包装箱を分割する際の第２工程を示す斜視図である。
【図５】箱本体のブランクを示す平面図である。
【図６】（Ａ）は連結部材のブランクを示す平面図、（Ｂ）は（Ａ）の要部拡大平面図である。
【図７】箱本体のブランクの変形例を示す平面図である。
【図８】連結部材のブランクの変形例を示す平面図である。
【図９】（Ａ），（Ｂ）は箱本体のブランクの他の変形例を示す平面図である。
【符号の説明】
【００４０】
１０Ａ〜１０Ｆ…箱本体
１１…底壁
１２Ａ，１２Ｂ…側壁
１４Ａ，１４Ｂ…受片
１７Ａ，１７Ｂ…内フラップ（端壁）
１９…外フラップ（端壁）
２８…進入部
２９…切断線
３０…折曲線
４０…連結部材
４１Ａ〜４１Ｆ…蓋部
４２Ａ〜４２Ｆ…糊代部
４４Ａ〜４４Ｅ…罫線（破断手段）
４４ａ…切断線
４５…指差部
【図１】
2007106424.tif 000003
【図２】
2007106424.tif 000004
【図３】
2007106424.tif 000005
【図４】
2007106424.tif 000006
【図５】
2007106424.tif 000007
【図６】
2007106424.tif 000008
【図７】
2007106424.tif 000009
【図８】
2007106424.tif 000010
【図９】
2007106424.tif 000011